(57)【要約】【課題】中継装置が増幅したキャリアによる通信の妨害を減少させるとを目的とする。【解決手段】無線通信システムは、端末と、周波数分割多重方式によって前記端末と無線通信する基地局と、前記端末と基地局との通信を中継する中継装置とを具備する無線通信システムであって、前記基地局は、前記端末に割り当てられた周波数の内、直接通信できないと判定した端末に割り当てられた周波数のみ前記中継装置に増幅させる。【選択図】図４
2011239204.tif 000002
【特許請求の範囲】
【請求項１】
端末と、周波数分割多重方式によって前記端末と無線通信する基地局と、前記端末と基地局との通信を中継する中継装置とを具備する無線通信システムであって、
前記基地局は、前記端末に割り当てられた周波数の内、直接通信できないと判定した端末に割り当てられた周波数のみ前記中継装置に増幅させることを特徴とする無線通信システム。
【請求項２】
前記基地局は、前記端末に割り当てられた周波数の内、通信品質が所定のしきい値を下回る周波数のみ前記中継装置に増幅させることを特徴とする請求項１に記載の無線通信システム。
【請求項３】
前記通信品質は、ＲＳＳＩ（Received Signal Strength Indicator）であることを特徴とする請求項２に記載の無線通信システム。
【請求項４】
前記基地局は、直交周波数分割多元接続方式によって前記端末と無線通信することを特徴とする請求項１〜３のいずれかに記載の無線通信システム。
【請求項５】
周波数分割多重方式によって端末と無線通信し、前記端末との通信が中継装置により中継される基地局であって、
前記端末に割り当てられた周波数の内、直接通信できないと判定した端末に割り当てられた周波数のみ前記中継装置に増幅させることを特徴とする基地局。
【請求項６】
前記端末に割り当てられた周波数の内、通信品質が所定のしきい値を下回る周波数のみ前記中継装置に増幅させることを特徴とする請求項５に記載の基地局。
【請求項７】
前記通信品質は、ＲＳＳＩ（Received Signal Strength Indicator）であることを特徴とする請求項６に記載の基地局。
【請求項８】
直交周波数分割多元接続方式によって前記端末と無線通信することを特徴とする請求項５〜７のいずれかに記載の基地局。
【請求項９】
周波数分割多重方式によって無線通信する端末と基地局との間を中継する中継装置であって、
前記基地局より指示のあった周波数のみ増幅することを特徴する中継装置。
【発明の詳細な説明】
【技術分野】
【０００１】
本発明は、無線通信システム、基地局及び中継装置に関する。
【背景技術】
【０００２】
携帯電話などの無線通信システムでは、基地局と端末との間の通信を中継する中継装置が用いられている。この中継装置は、端末から信号を受信すると、当該信号を電力増幅して基地局に転送し、また、基地局から信号を受信すると、当該信号を電力増幅して端末に転送する。（下記特許文献１参照）。このように、信号を電力増幅して中継する中継装置が導入されることで、端末は、基地局から信号が届かない場所でも信号を送受信することができる。
【先行技術文献】
【特許文献】
【０００３】
【特許文献１】特開２００７−６０２１２号公報
【発明の概要】
【発明が解決しようとする課題】
【０００４】
ところで、上記従来技術の中継装置は、周波数分割多重接続方式を採用した無線通信システムに設置された場合に、基地局と直接通信できない端末に割り当てられたキャリア（周波数）だけでなく、基地局と直接通信できる端末に割り当てられたキャリアも増幅する。しかしながら、基地局と直接通信できる端末に割り当てられたキャリアと同じ周波数が隣接基地局において使用されている場合、必要がないにもかかわらず増幅された当該キャリアが強力な妨害波となって隣接基地局の通信を妨害することがある。
【０００５】
本発明は、上述した事情に鑑みてなされたものであり、中継装置が増幅したキャリアによる通信の妨害を減少させるとを目的とする。
【課題を解決するための手段】
【０００６】
上記目的を達成するために、本発明では、無線通信システムに係る第１の解決手段として、端末と、周波数分割多重方式によって前記端末と無線通信する基地局と、前記端末と基地局との通信を中継する中継装置とを具備する無線通信システムであって、前記基地局は、前記端末に割り当てられた周波数の内、直接通信できないと判定した端末に割り当てられた周波数のみ前記中継装置に増幅させるという手段を採用する。
【０００７】
本発明では、無線通信システムに係る第２の解決手段として、上記第１の解決手段において、前記基地局は、前記端末に割り当てられた周波数の内、通信品質が所定のしきい値を下回る周波数のみ前記中継装置に増幅させるという手段を採用する。
【０００８】
本発明では、無線通信システムに係る第３の解決手段として、上記第１または第２の解決手段において、前記通信品質は、ＲＳＳＩ（Received Signal Strength Indicator）であるという手段を採用する。
【０００９】
本発明では、無線通信システムに係る第４の解決手段として、上記第１〜第３のいずれかの解決手段において、前記基地局は、直交周波数分割多元接続方式によって前記端末と無線通信するという手段を採用する。
【００１０】
また、本発明では、基地局に係る第１の解決手段として、周波数分割多重方式によって端末と無線通信し、前記端末との通信が中継装置により中継される基地局であって、前記端末に割り当てられた周波数の内、直接通信できないと判定した端末に割り当てられた周波数のみ前記中継装置に増幅させるという手段を採用する。
【００１１】
本発明では、基地局に係る第２の解決手段として、上記第１の解決手段において、前記端末に割り当てられた周波数の内、通信品質が所定のしきい値を下回る周波数のみ前記中継装置に増幅させるという手段を採用する。
【００１２】
本発明では、基地局に係る第３の解決手段として、上記第１または第２の解決手段において、前記通信品質は、ＲＳＳＩ（Received Signal Strength Indicator）であるという手段を採用する。
【００１３】
本発明では、基地局に係る第４の解決手段として、上記第１〜第３のいずれかの解決手段において、直交周波数分割多元接続方式によって前記端末と無線通信するという手段を採用する。
【００１４】
さらに、本発明では、中継装置に係る第１の解決手段として、周波数分割多重方式によって無線通信する端末と基地局との間を中継する中継装置であって、前記基地局より指示のあった周波数のみ増幅するという手段を採用する。
【発明の効果】
【００１５】
本発明によれば、基地局は、端末に割り当てられた周波数の内、直接通信できないと判定した端末に割り当てられた周波数のみ前記中継装置に増幅させる。これにより、基地局と直接通信できる端末に割り当てられた周波数が中継装置により増幅されないために、中継装置が増幅した周波数（キャリア）による通信の妨害を減少させることができる。
【図面の簡単な説明】
【００１６】
【図１】本発明の実施形態に係る通信システムＳのシステム構成図である。
【図２】本発明の実施形態に係る通信システムＳの基地局Ｂ１の機能ブロック図である。
【図３】本発明の実施形態に係る通信システムＳの中継装置Ｒの機能ブロック図である。
【図４】本発明の実施形態に係る通信システムＳの基地局Ｂ１、中継装置Ｒ及び端末Ｍ１の動作を示すフローチャートである。
【図５】本発明の実施形態に係る通信システムＳの中継制御フラグｆｇ１０を示す模式図である。
【図６】本発明の実施形態に係る通信システムＳの基地局Ｂ１及び中継装置Ｒが送信に用いる周波数を示す模式図である。
【発明を実施するための形態】
【００１７】
以下、図面を参照して、本発明の実施形態について説明する。
無線通信システムＳは、ＯＦＤＭＡ（Orthogonal Frequency Division Multiple Access：直交周波数分割多元接続）方式が採用されたＬＴＥ（Long Term Evolution）に基づく通信システムであり、図１に示すように、基地局Ｂ１，Ｂ２、端末Ｍ１，Ｍ２，Ｍ３，Ｍ４及び中継装置Ｒから構成されている。
【００１８】
基地局Ｂ１は、セルＣＬ１を形成し、セルＣＬ１内に位置する端末Ｍ１，Ｍ２，Ｍ３とＯＦＤＭＡ方式によって通信、すなわち端末Ｍ１，Ｍ２，Ｍ３毎に異なる周波数のサブキャリアを割り当て、当該サブキャリアを用いて端末Ｍ１，Ｍ２，Ｍ３それぞれと通信する。
基地局Ｂ２は、基地局Ｂ１に隣接し、セルＣＬ２を形成し、セルＣＬ２内に位置する端末Ｍ４とＯＦＤＭＡ方式によって通信する。
【００１９】
端末Ｍ１，Ｍ２，Ｍ３，Ｍ４は、音声通信またはデータ通信を行う携帯電話機である。
中継装置Ｒは、基地局Ｂ１と通信エリアＣＡ１内の端末Ｍ１との通信を中継するものであり、基地局Ｂ１から受信した信号を増幅して端末Ｍ１に転送するとともに端末Ｍ１から受信した信号を増幅して基地局Ｂ１に転送する。
【００２０】
続いて、基地局Ｂ１の機能構成を、図２を参照して説明する。なお、基地局Ｂ２も、基地局Ｂ１と同様な内部構成を備えている。
基地局Ｂ１は、受信部１、送信部２及び制御部３から構成されている。
受信部１は、端末Ｍ１，Ｍ２，Ｍ３及び中継装置Ｒからアナログの上り信号を受信し、制御部３の制御の下、当該上り信号に復調処理を施してデジタル上り信号に変換し、当該デジタル上り信号を制御部３に出力する。
送信部２は、制御部３からデジタル下り信号が入力されると、制御部３の制御の下、デジタル下り信号に変調処理を施してアナログの下り信号に変換し、当該下り信号を端末Ｍ１，Ｍ２，Ｍ３及び中継装置Ｒに送信する。
【００２１】
制御部３は、ＣＰＵ（Central Processing Unit）、ＲＯＭ（Read Only Memory）、ＲＡＭ（Random Access Memory）及び各部との信号の入出力を行うインタフェース回路などから構成されており、上記ＲＯＭに記憶された制御プログラム、受信部１が受信した上り信号に基づいて基地局Ｂ１の全体動作を制御する。なお、ＲＯＭに記憶されている制御プログラムには中継制御プログラムが含まれており、制御部３はこの中継制御プログラムに基づいて中継装置Ｒによる信号の増幅を制御する。なお、制御部３が実行する処理の詳細については、以下に基地局Ｂ１の動作として説明する。
【００２２】
続いて、中継装置Ｒの機能構成を、図３を参照して説明する。
中継装置Ｒは、基地局側受信部１１、下り信号処理部１２、端末側送信部１３、端末側受信部１４、上り信号処理部１５、基地局側送信部１６及び制御部１７から構成されている。
基地局側受信部１１は、基地局Ｂ１からアナログの下り信号を受信し、制御部１７の制御の下、当該下り信号に復調処理を施してデジタル下り信号に変換し、当該デジタル下り信号を下り信号処理部１２に出力する。
下り信号処理部１２は、制御部１７の制御の下、基地局側受信部１１から入力されたデジタル下り信号に所定の信号処理を施し、端末側送信部１３に出力する。
端末側送信部１３は、制御部１７の制御の下、下り信号処理部１２から入力されたデジタル下り信号に変調処理を施してアナログの下り信号に変換し、当該下り信号を増幅して端末Ｍ１，Ｍ２，Ｍ３に送信する。
【００２３】
端末側受信部１４は、端末Ｍ１，Ｍ２，Ｍ３からアナログの上り信号を受信し、制御部１７の制御の下、当該上り信号に復調処理を施してデジタル上り信号に変換し、当該デジタル上り信号を上り信号処理部１５に出力する。
上り信号処理部１５は、制御部１７の制御の下、端末側受信部１４から入力されたデジタル上り信号に所定の信号処理を施し、基地局側送信部１６に出力する。
基地局側送信部１６は、制御部１７の制御の下、上り信号処理部１５から入力されたデジタル上り信号に変調処理を施してアナログの上り信号に変換し、当該上り信号を増幅して基地局Ｂ１に送信する。
【００２４】
制御部１７は、ＣＰＵ（Central Processing Unit）、ＲＯＭ（Read Only Memory）、ＲＡＭ（Random Access Memory）及び各部との信号の入出力を行うインタフェース回路などから構成されており、上記ＲＯＭに記憶された制御プログラム、基地局側受信部１１が受信した下り信号及び端末側受信部１４が受信した上り信号に基づいて中継装置Ｒの全体動作を制御する。なお、ＲＯＭに記憶されている制御プログラムには中継処理プログラムが含まれており、制御部１７はこの中継処理プログラムに基づいて中継を行う。なお、制御部１７が実行する処理の詳細については、以下に中継装置Ｒの動作として説明する。
【００２５】
次に、上記構成の無線通信システムＳの基地局Ｂ１、中継装置Ｒ及び端末Ｍ１の動作について図４を参照して説明する。
まず、基地局Ｂ１の制御部３は、端末Ｍ１，Ｍ２，Ｍ３に対する下り信号を生成する際に、端末Ｍ１，Ｍ２，Ｍ３毎のデジタル下り信号を生成し、各下り信号に設けられた中継制御フラグｆｇ１０の中継指示ｆｇ１フラグに「１」を設定する（ステップＳ１）。
【００２６】
上記中継制御フラグｆｇ１０について、図５を参照して説明する。中継制御フラグｆｇ１０は、３ビットの領域から構成されたフラグであり、端末Ｍ１，Ｍ２，Ｍ３毎の信号に設定されている。中継制御フラグｆｇ１０は、図５に示すように、先頭ビットが中継指示フラグｆｇ１であり、次のビットが上り信号増幅フラグｆｇ２であり、最終ビットが下り信号増幅フラグｆｇ３である。
【００２７】
中継指示フラグｆｇ１は、基地局Ｂ１で設定されるフラグであり、中継装置Ｒに増幅させる場合に「１」が設定される。上り信号増幅フラグｆｇ２は、中継装置Ｒで設定されるフラグであり、中継装置Ｒにより上り信号が増幅された場合に「１」が設定される。下り信号増幅フラグｆｇ３は、中継装置Ｒで設定されるフラグであり、中継装置Ｒで下り信号が増幅された場合に「１」が設定される。なお、端末Ｍ１〜Ｍ３は、中継制御フラグｆｇ１０をそのまま返信する。
【００２８】
図４に戻り、基地局Ｂ１の制御部３は、ステップＳ１の後に、送信部２にデジタル下り信号をアナログの下り信号に変換させ、端末Ｍ１，Ｍ２，Ｍ３の下り信号を送信させる（ステップＳ２）。なお、基地局Ｂ１は、端末Ｍ１，Ｍ２，Ｍ３毎に異なる周波数のサブキャリアを割り当て、それぞれのサブキャリアを用いて下り信号を送信する。また、上記ステップＳ２において送信された下り信号には、図５（１）に示す中継制御フラグｆｇ１０が設定されている。
【００２９】
ステップＳ２の後に、中継装置Ｒの制御部１７は、基地局側受信部１１が基地局Ｂ１から端末Ｍ１，Ｍ２，Ｍ３の下り信号を受信すると、基地局側受信部１１に下り信号をデジタル下り信号に変換させた後に下り信号処理部１２へ向けて出力させ、下り信号処理部１２に入力されたデジタル下り信号に基づいて中継指示フラグｆｇ１に「１」が設定されているか否か端末Ｍ１，Ｍ２，Ｍ３毎に判定する（ステップＳ３）。
【００３０】
制御部１７は、ステップＳ３において『ＹＥＳ』と判定した場合には、すなわち中継指示フラグｆｇ１に「１」が設定されている場合には、下り信号処理部１２にデジタル下り信号の下り信号増幅フラグｆｇ３に「１」を設定させる（ステップＳ４）。制御部１７は、ステップＳ４の後に、下り信号処理部１２から端末側送信部１３にデジタル下り信号を出力させ、当該デジタル下り信号を端末側送信部１３にアナログの下り信号に変換させ、当該下り信号を増幅させてから送信させる（ステップＳ５）。なお、上記ステップＳ５において送信された下り信号には、図５（２）に示す中継制御フラグｆｇ１０が設定されている。
【００３１】
制御部１７は、ステップＳ３において『ＮＯ』と判定した場合には、すなわち中継指示フラグｆｇ１に「１」が設定されていない場合には、当該デジタル下り信号を下り信号処理部１２に削除させ、当該デジタル下り信号に基づくアナログの下り信号を端末側送信部１３に送信させない（ステップＳ６）。例えば、端末Ｍ１の下り信号の中継指示フラグｆｇ１に「１」が設定され、端末Ｍ２，Ｍ３の下り信号の中継指示フラグｆｇ１に「０」が設定されている場合には、基地局Ｂ１が、図６に示すように、端末Ｍ１に割り当てられた周波数ｆｒ１と、端末Ｍ２に割り当てられた周波数ｆｒ２と、端末Ｍ３に割り当てられた周波数ｆｒ３とを下り信号として送信したとしても、中継装置Ｒは、上記ステップＳ５において周波数ｆｒ１のみ下り信号として送信し、ステップＳ６において周波数ｆｒ２，ｆｒ３を送信しない。
【００３２】
図４に戻り、端末Ｍ１は、中継装置Ｒから下り信号を受信すると、所定の処理後に、下り信号に設定されている中継制御フラグｆｇ１０をそのまま上り信号に設定し、当該上り信号を送信する（ステップＳ７）。なお、ステップＳ７において送信される上り信号には、図５（３）に示す中継制御フラグｆｇ１０が設定されている。また、ステップＳ７において端末Ｍ１から送信された上り信号は、中継装置Ｒ及び基地局Ｂ１の両方に受信される。
【００３３】
ステップＳ７の後に、中継装置Ｒの制御部１７は、端末側受信部１４が端末から上り信号を受信すると、端末側受信部１４に上り信号をデジタル上り信号に変換させた後に上り信号処理部１５へ向けて出力させ、上り信号処理部１５に入力されたデジタル上り信号に基づいて中継指示フラグｆｇ１に「１」が設定されているか否か端末Ｍ１，Ｍ２，Ｍ３毎に判定する（ステップＳ８）。
【００３４】
制御部１７は、ステップＳ８において『ＹＥＳ』と判定した場合には、すなわち中継指示フラグｆｇ１に「１」が設定されている場合には、上り信号処理部１５にデジタル上り信号の上り信号増幅フラグｆｇ２に「１」を設定させる（ステップＳ９）。制御部１７は、ステップＳ９の後に、上り信号処理部１５から基地局側送信部１６にデジタル上り信号を出力させ、基地局側送信部１６にデジタル上り信号をアナログの上り信号に変換させ、当該上り信号を増幅させてから送信させる（ステップＳ１０）。なお、上記ステップＳ１０において送信された上り信号には、図５（４）に示す中継制御フラグｆｇ１０が設定されている。
【００３５】
制御部１７は、ステップＳ８において『ＮＯ』と判定した場合には、すなわち中継指示フラグｆｇ１に「１」が設定されていない場合には、中継指示フラグｆｇ１に「１」が設定されていないデジタル上り信号を上り信号処理部１５に削除させ、当該デジタル上り信号に基づくアナログの上り信号を基地局側送信部１６に送信させない（ステップＳ１１）。例えば、端末Ｍ１の上り信号の中継指示フラグｆｇ１に「１」が設定され、端末Ｍ２，Ｍ３の上り信号の中継指示フラグｆｇ１に「０」が設定されている場合には、中継装置Ｒは、ステップＳ１０において周波数ｆｒ１のみ上り信号として送信し、ステップＳ１１において周波数ｆｒ２，ｆｒ３を送信しない。
【００３６】
図４に戻り、基地局Ｂ１の制御部３は、受信部１が上り信号を受信すると、受信部１に上り信号をデジタル上り信号信号に変換させ、当該デジタル上り信号の上り信号増幅フラグｆｇ２に「１」が設定されているか否か判定する（ステップＳ１２）。制御部３は、ステップＳ１２において『ＹＥＳ』と判定した場合には、すなわち上り信号増幅フラグｆｇ２に「１」が設定されている場合には、上記ステップＳ１の戻り、次回送信される下り信号の中継指示フラグｆｇ１に「１」を設定する。なお、ステップＳ１に戻り、次回送信される下り信号には、図５（５）に示す中継制御フラグｆｇ１０が設定されている。
【００３７】
図４に戻り、制御部３は、ステップＳ１２において『ＮＯ』と判定した場合には、すなわち上り信号増幅フラグｆｇ２に「１」が設定されていない場合には、上り信号のＲＳＳＩ（Received Signal Strength Indicator；受信信号強度）が所定のしきい値を下回っているか否か判定する（ステップＳ１３）。例えば、図５（１１）に示す中継制御フラグｆｇ１０が設定されている下り信号が、基地局Ｂ１から端末Ｍ２に送信され、基地局Ｂ１が、当該端末Ｍ２から中継装置Ｒを介さずに上り信号を直接受信する場合に、当該上り信号には、上記ステップＳ１２において上り信号増幅フラグｆｇ２に「１」が設定されていないと判定される中継制御フラグｆｇ１０（図５（１２）参照）が設定されている。
【００３８】
図４に戻り、制御部３は、ステップＳ１３において『ＮＯ』と判定した場合には、すなわち上り信号のＲＳＳＩが所定のしきい値を越えていた場合には、次回送信される下り信号の中継指示フラグｆｇ１に「０」を設定し（ステップＳ１４）、ステップＳ２に移行する。なお、上記ステップＳ１４における下り信号には、図５（１３）に示す中継制御フラグｆｇ１０が設定されている。
制御部３は、ステップＳ１３において『ＹＥＳ』と判定した場合には、すなわち上り信号のＲＳＳＩが所定のしきい値を下回っている場合には、ステップＳ１に戻り、次回送信される下り信号の中継指示フラグｆｇ１に「１」を設定する。
【００３９】
上記ステップＳ１２，１３，１４について図６を参照して具体的に説明する。
図６に示すように端末Ｍ２，Ｍ３が、基地局Ｂ１の近傍に位置し、端末Ｍ１が基地局Ｂ１のＣＬ１のエッジの付近に位置しているとする。
基地局Ｂ１は、ステップＳ１２の前の段階で、端末Ｍ１，Ｍ２、Ｍ３からの上り信号として、中継制御フラグｆｇ１０が「１００」（下り信号及び上り信号が中継装置Ｒを経由しない場合）の上り信号と、中継制御フラグｆｇ１０が「１０１」（下り信号のみ中継装置Ｒを経由した場合）の上り信号と、中継制御フラグｆｇ１０が「１１０」（上り信号のみ中継装置Ｒを経由した場合）の上り信号と、中継制御フラグｆｇ１０が「１１１」（下り信号及び上り信号が中継装置Ｒを経由した場合）の上り信号とを受信する。すなわち、基地局Ｂ１は、４種類の上り信号を受信する。
【００４０】
基地局Ｂ１は、ステップＳ１２において上り信号増幅フラグｆｇ２に「１」が設定されていない上り信号、すなわち中継制御フラグｆｇ１０が「１００」、「１０１」である端末Ｍ１，Ｍ２，Ｍ３から直接受信した上り信号であると判定すると、ステップＳ１３において当該上り信号のＲＳＳＩが所定のしきい値を下回るか否か判定する。なお、ステップＳ１３は、必須ではない。
【００４１】
基地局Ｂ１は、近くに位置する端末Ｍ２，Ｍ３から直接受信した上り信号はＲＳＳＩが所定のしきい値を越えるので、ステップＳ１４において中継指示フラグｆｇ１を「０」に設定する。また、基地局Ｂ１は、遠くに位置する端末Ｍ１から直接受信した上り信号のＲＳＳＩは所定のしきい値を下回るので、ステップＳ１に戻り、中継指示フラグに「１」を設定したままにする。これ以降、基地局Ｂ１から送信される電波には、図６に示すように、端末Ｍ１，Ｍ２，Ｍ３に割り当てられた３種類の周波数（周波数ｆｒ１，ｆｒ２，ｆｒ３）が含まれるが、中継装置Ｒから送信される電波のうち、端末Ｍ１に割り当てられた周波数（周波数ｆｒ１）のみが増幅される。
【００４２】
これにより、基地局Ｂ２が、端末Ｍ４に端末Ｍ２または端末Ｍ３と同じ周波数（周波数ｆｒ２またはｆｒ３）を割り当てている場合に、もし端末Ｍ２，Ｍ３の周波数が中継装置Ｒに増幅されると、当該周波数が妨害波となって基地局Ｂ２の通信が妨害されるが、中継装置Ｒは周波数ｆｒ２，ｆｒ３を増幅しないので、基地局Ｂ２の通信は妨害されない。
【００４３】
以上のように、本実施形態に係る無線通信システムＳにおいて基地局Ｂ１は、端末Ｍ１，Ｍ２，Ｍ３に割り当てられた周波数の内、直接通信できないと判定した端末Ｍ１に割り当てられた周波数ｆｒ１、すなわちＲＳＳＩが所定のしきい値を下回る周波数ｆｒ１のみ中継装置Ｒに増幅させる。これにより、基地局Ｂ１と直接通信できる端末Ｍ２，Ｍ３に割り当てられた周波数ｆｒ２，ｆｒ３が中継装置Ｒにより増幅されないために、中継装置Ｒが増幅した周波数（サブキャリア）による通信の妨害を減少させることができる。
【００４４】
以上、本発明の実施形態について説明したが、本発明は上記実施形態に限定されることなく、例えば以下のような変形が考えられる。
（１）本発明の実施形態では、基地局Ｂ１は、ＲＳＳＩ（Received Signal Strength Indicator）を基準に各周波数ｆｒ１，ｆｒ２，ｆｒ３の通信品質を判断したが、本発明はこれに限定されない。
例えば、ＳＮＲ（Signal to Noise Ratio：信号対雑音比）、ＦＥＲ（Frame Error Rate：フレームエラー率）、ＢＥＲ（Bit Error Rate：ビットエラー率）などを基準に上り信号の通信品質を判断し、ＳＮＲ、ＦＥＲまたはＢＥＲが所定のしきい値を下回る周波数のみ中継装置Ｒに信号を増幅させるようにすればよい。
【００４５】
（２）本発明の実施形態は、ＯＦＤＭＡ方式を採用するＬＴＥに基づいた通信システムであるが、本発明はこれに限定されない。周波数分割多元接続方式を含む周波数分割多重方式を採用する無線通信システムであれば、本発明を適用することができる。
【００４６】
（３）本発明の実施形態では、中継制御フラグｆｇ１０として中継指示フラグｆｇ１、上り信号増幅フラグｆｇ２及び下り信号増幅フラグｆｇ３の３つのフラグから構成されているが、本発明はこれに限定されない。基地局Ｂ１は、上り信号を端末から直接受信したものか、または中継装置Ｒを経由して受信したものかどうか判別できればよいので、下り信号増幅フラグｆｇ３はなくてもよい。
【符号の説明】
【００４７】
Ｓ…無線通信システム、Ｂ１，Ｂ２…基地局、Ｍ１，Ｍ２，Ｍ３，Ｍ４…端末、Ｒ…中継装置、１…受信部、２…送信部、３…制御部、１１…基地局側受信部、１２…下り信号処理部、１３…端末側送信部、１４…端末側受信部、１５…上り信号処理部、１６…基地局側送信部、１７…制御部、ＣＬ１，ＣＬ２…セル、ｆｇ１０…中継制御フラグ、ｆｇ１…中継指示フラグ、ｆｇ２…上り信号増幅フラグ、ｆｇ３…下り信号増幅フラグ、ｆｒ１，ｆｒ２，ｆｒ３…周波数
【図１】
2011239204.tif 000003
【図２】
2011239204.tif 000004
【図３】
2011239204.tif 000005
【図４】
2011239204.tif 000006
【図５】
2011239204.tif 000007
【図６】
2011239204.tif 000008